(57)【要約】【課題】振動特性、特に防振性の向上と、トラバースシャーシの姿勢の安定化を図った光ディスク装置を提供する。【解決手段】トラバースシャーシ２の後端部の二箇所を第一のゴムダンパー３を介してローダーシャーシ１に取付け、トラバースシャーシ前端のボス部２ｂに第二のゴムダンパー５を介してキャップ６を被着してカムスライダー７のカム溝７ａに挿入した光ディスク装置において、第一及び第二のゴムダンパー３，５として形状及び／又は材質が異なるゴムダンパーを組合わせて使用する。これにより振動特性を向上させ全体的にバランスのとれた防振性を発揮させる。キャップ６のフランジ６ａをトラバースシャーシ２のフランジ当接部２ｃに当接させ、キャップ６の先端面６ｂをローダーシャーシ１の内壁面１ｃに当接させることで、キャップ６の傾動を阻止してトラバースシャーシ２の傾きを規制し安定化させる。【選択図】図２
0003128619.tif 000002
【実用新案登録請求の範囲】
【請求項１】
光ピックアップ、ターンテーブルなどを搭載したトラバースシャーシの後端部の二箇所を、第一のゴムダンパーを介してローダーシャーシに上下回動可能に取付け、トラバースシャーシの前端から突き出すボス部に第二のゴムダンパーを介してキャップを被着すると共に、このキャップをローダーシャーシの前縁部に取付けられたカムスライダーのカム溝に挿入した光ディスク装置において、
上記第一のゴムダンパーとして中心孔を有する中実グロメット形状のゴムダンパー、上記第二のゴムダンパーとして両端が開口する中空グロメット形状のゴムダンパーを組み合わせて使用し、上記キャップの開口縁に形成されたフランジを、上記トラバースシャーシの前端に形成されたフランジ当接部に当接させると共に、上記トラバースシャーシが上向きに回動して水平になったときに上記キャップの先端面をローダーシャーシの前縁部の内壁面に当接させるようにしたことを特徴とする光ディスク装置。
【請求項２】
光ピックアップ、ターンテーブルなどを搭載したトラバースシャーシの後端部の二箇所を、第一のゴムダンパーを介してローダーシャーシに上下回動可能に取付け、トラバースシャーシの前端から突き出すボス部に第二のゴムダンパーを介してキャップを被着すると共に、このキャップをローダーシャーシの前縁部に取付けられたカムスライダーのカム溝に挿入した光ディスク装置において、
上記の第一及び第二のゴムダンパーとして、形状及び／又は材質が異なるゴムダンパーを組合わせて使用したことを特徴とする光ディスク装置。
【請求項３】
上記キャップの開口縁に形成されたフランジを、上記トラバースシャーシの前端に形成されたフランジ当接部に当接させたことを特徴とする請求項２に記載の光ディスク装置。
【請求項４】
上記トラバースシャーシが上向きに回動して水平になったときに、上記キャップの先端面をローダーシャーシの前縁部の内壁面に当接させるようにしたことを特徴とする請求項３に記載の光ディスク装置。
【考案の詳細な説明】
【技術分野】
【０００１】
本考案はＣＤ、ＤＶＤなどの光ディスク装置に関し、特に、トラバースシャーシの姿勢の安定化、振動特性、動作などを向上させるように改良した光ディスク装置に関する。
【背景技術】
【０００２】
この種の光ディスク装置として、光ピックアップやターンテーブルなどを搭載したトラバースシャーシの後端部の二箇所を、第一緩衝体を介してローダーシャーシに上下回動可能に取付け、トラバースシャーシの前端の突起に、第二緩衝体を介してキャップ状の軸体をトラバースシャーシの前端面と非接触状態になるように被着すると共に、この軸体をローダーシャーシの前縁部に取付けられたカム板のカム溝に挿入したものが知られている（特許文献１）。
【０００３】
また、光ディスクの記録・再生を行う光デッキ部に伝達される外部振動を減衰する光ディスク装置の防振機構として、光デッキ部を支持するための硬度が高く減衰能力の小さな少なくとも３個以上のゲルダンパ（第一のダンパ）と、外部振動を吸収するための硬度が低く減衰能力の大きな、ゲルダンパより少数個のオイルダンパ（第二のダンパ）とを備えたものが知られている（特許文献２）。
【０００４】
そして、ディスク駆動ユニットを第一の弾性部材を介してシャーシに弾性支持させると共に、ディスク駆動ユニットを昇降移動させるカム歯車を、第一の弾性部材とは異なる第二の弾性部材を介してシャーシに弾性支持させたディスク駆動装置も知られている（特許文献３）。
【特許文献１】特開２００３−２２３７７６号公報
【特許文献２】特開２０００−１６３９４５号公報
【特許文献３】特開平９−９１８１９号公報
【考案の開示】
【考案が解決しようとする課題】
【０００５】
上記特許文献１の光ディスク装置は、第一緩衝体を介してトラバースシャーシの後端部をローダーシャーシに取付けると共に、第二緩衝体を介してキャップ状の軸体をトラバースシャーシの突起に被着することにより、振動特性の安定化を図っているが、第一緩衝体および第二緩衝体として、同じ防振ゴムからなる同じ形状の筒体を使用しているため、必ずしも全体的にバランスのとれた防振効果が得られるとは言い難い。しかも、キャップ状の軸体をトラバースシャーシの前端面と非接触状態になるように被着しているため、キャップ状の軸体は第二緩衝体の変形許容範囲内でトラバースシャーシに対して傾動可能であり、それ故、何らかの影響でトラバースシャーシの姿勢に傾きが生じる場合には、カムスライダーのカム溝に係合しているキャップ状の軸体も傾動し、トラバースシャーシの傾きを規制できないという問題があった。
【０００６】
一方、前記特許文献２の防振機構は、第一のダンパとして３個以上のゲルダンパを使用し、第二ダンパとしてオイルダンパを使用するものであるから、このような防振機構は、前記特許文献１のように第一及び第二の緩衝体として防振ゴムの筒体を使用し、且つ、緩衝体の数が３個しかない光ディスク装置の防振機構として適用することはできず、あえて適用したとしても、キャップ状の軸体に起因する前記の問題を解決することはできない。
【０００７】
また、前記特許文献３のディスク駆動装置は、ディスク駆動ユニットをカム歯車で昇降移動させるものであり、第二の弾性部材はこのカム歯車に適合する形状を備えたものであるから、このような駆動装置の防振技術を、カムスライダーでトラバースシャーシを昇降させる前記特許文献１の光ディスク装置に適用して改良することはできない。
【０００８】
本考案は上記事情の下になされたもので、前記特許文献１とほぼ同様の構造を備えた光ディスク装置において、その振動特性、特に防振性の向上と、トラバースシャーシの姿勢の安定化を図ることを解決課題としている。
【課題を解決するための手段】
【０００９】
上記課題を解決するため、本考案に係る光ディスク装置は、光ピックアップ、ターンテーブルなどを搭載したトラバースシャーシの後端部の二箇所を、第一のゴムダンパーを介してローダーシャーシに上下回動可能に取付け、トラバースシャーシの前端から突き出すボス部に第二のゴムダンパーを介してキャップを被着すると共に、このキャップをローダーシャーシの前縁部に取付けられたカムスライダーのカム溝に挿入した光ディスク装置において、上記の第一及び第二のゴムダンパーとして、形状及び／又は材質が異なるゴムダンパーを組合わせて使用したことを特徴とするものである。ここに「形状」とは、外形のみならず、中実、中空その他の内部形状（内部構造）をも含む広い概念の用語であり、また、「材質」とは、材料の種類のほかに、硬さ、損失係数その他の物性をも含む広い概念の用語である。
【００１０】
本考案の光ディスク装置にあっては、上記キャップの開口縁に形成されたフランジを、上記トラバースシャーシの前端に形成されたフランジ当接部に当接させることが好ましく、また、上記トラバースシャーシが上向きに回動して水平になったときに、上記キャップの先端面をローダーシャーシの前縁部の内壁面に当接させるようにすることも好ましい。
【００１１】
そして、本考案の更に具体的な好ましい光ディスク装置は、光ピックアップ、ターンテーブルなどを搭載したトラバースシャーシの後端部の二箇所を、第一のゴムダンパーを介してローダーシャーシに上下回動可能に取付け、トラバースシャーシの前端から突き出すボス部に第二のゴムダンパーを介してキャップを被着すると共に、このキャップをローダーシャーシの前縁部に取付けられたカムスライダーのカム溝に挿入した光ディスク装置において、上記第一のゴムダンパーとして中心孔を有する中実グロメット形状のゴムダンパー、上記第二のゴムダンパーとして両端が開口する中空グロメット形状のゴムダンパーを組み合わせて使用し、上記キャップの開口縁に形成されたフランジを、上記トラバースシャーシの前端に形成されたフランジ当接部に当接させると共に、上記トラバースシャーシが上向きに回動して水平になったときに上記キャップの先端面をローダーシャーシの前縁部の内壁面に当接させるようにしたことを特徴とするものである。
【考案の効果】
【００１２】
本考案の光ディスク装置のように、トラバースシャーシの後端部の二つの取付箇所に介在させる第一のゴムダンパー、及び、トラバースシャーシの前端のボス部とキャップの間に介在させる第二のゴムダンパーとして、形状及び／又は材質が異なるゴムダンパーを組合わせて使用すると、その組合わせ方によって振動特性を向上させることができ、全体にバランスのとれた防振性を発揮できるようになるので、２倍速ないし４倍速で記録・再生を行うことも可能となる。
【００１３】
そして、キャップの開口縁に形成されたフランジを、トラバースシャーシの前端に形成されたフランジ当接部に当接させた光ディスク装置は、このフランジによってトラバースシャーシに対するキャップの傾動が阻止されるため、何らかの影響でトラバースシャーシの姿勢に傾きが生じようとした場合でも、上記のように傾動が阻止されたキャップがカムスライダーのカム溝に係合してトラバースシャーシの傾きを規制するため、トラバースシャーシの姿勢を水平に安定させることが可能となる。
【００１４】
更に、トラバースシャーシが上向きに回動して水平になったときに、キャップの先端面をローダーシャーシの前縁部の内壁面に当接させるようにした光ディスク装置は、上記のフランジによるキャップ傾動阻止作用と相俟って、このローダーシャーシの内壁面に当接するキャップの先端面によりキャップの傾動が一層確実に阻止されるため、トラバースシャーシの傾きの規制作用が更に向上し、トラバースシャーシの姿勢安定効果が顕著になる。
【００１５】
そして、本考案のより具体的な好ましい光ディスク装置のように、第一のゴムダンパーとして中心孔を有する中実グロメット形状のゴムダンパー、第二のゴムダンパーとして両端が開口する中空グロメット形状のゴムダンパーを組み合わせて使用したものは、第一の中実グロメット形状のゴムダンパーの方が第二の中空グロメット形状のゴムダンパーよりも硬いので、この第一の中実グロメット形状のゴムダンパーによってトラバースシャーシの後端部の取付箇所をしっかり支持すると共に、トラバースシャーシの後部に生じる振動を減衰し、この第一のゴムダンパーよりも柔らかい第二の中空グロメット形状のゴムダンパーによって、トラバースシャーシの前部に生じる大きい振動を減衰して、全体的にバランスのとれた防振性を発揮することができる。
【考案を実施するための最良の形態】
【００１６】
以下、図面に基づいて本考案の具体的な実施形態を詳述する。
【００１７】
図１は本考案の一実施形態に係る光ディスク装置の平面図、図２は同光ディスク装置の要部分解斜視図、図３は同光ディスク装置におけるトラバースシャーシ後端部の取付部分の断面図、図４は同光ディスク装置におけるトラバースシャーシ前端のキャップを被着した部分の断面図、図５の（ａ）は同光ディスク装置に使用される中実グロメット形状の第一のゴムダンパーの斜視図、図５の（ｂ）は同ゴムダンパーの断面図、図６の（ａ）は同光ディスク装置に使用される中空グロメット形状の第二のゴムダンパーの斜視図、図５の（ｂ）は同ゴムダンパーの断面図である。
【００１８】
この光ディスク装置は、図１に示すように、合成樹脂製のローダーシャーシ１の内側に、合成樹脂製のトラバースシャーシ２がその後端部の左右二箇所において第一のゴムダンパー３を介して上下回動可能に取付けられている。この第一のゴムダンパー３は、図５の（ａ），（ｂ）に示すように、中心孔３ａを有する厚肉の筒体３ｂの外面に周溝３ｃを形成した中実グロメット形状のゴムダンパーであって、上下両面には４つの突起３ｄが９０°の間隔をあけて形成されている。このゴムダンパーは、例えばブチルゴム、シリコンゴムなどで造られており、上記のような中実グロメット形状であるため、やや硬く減衰性能があまり大きくないものである。上記の「中実」グロメット形状とは、中心孔３ａと周溝３ｃを有するグロメット形状（ハトメ形状）の筒体３ｂそれ自体が中空でなく中実であることを意味している。
【００１９】
ローダーシャーシ１に対するトラバースシャーシ２の後端部の取付けは、図２，図３に示すように、上記の第一のゴムダンパー３を、トラバースシャーシ２の後端部の左右二箇所に形成されたスリット２ａに挿入し、スリット２ａの両側縁がゴムダンパー３の周溝３ｃに嵌まり込んだ状態で、下方からビス４をローダーシャーシ１のビス孔１ａにねじ込むことによって行われている。従って、トラバースシャーシ２は、その後端部の左右の取付箇所を支点として、第一のゴムダンパー３の変形許容範囲内で上下回動可能に取付けられており、このトラバースシャーシ２の後部に生じる振動は、第一のゴムダンパー３によって減衰されるようになっている。
【００２０】
一方、トラバースシャーシ２の前端には、図２，図４に示すようにボス部２ｂが前方に向かって突設されており、このボス部２ｂに第二のゴムダンパー５が被嵌されている。そして、この第二のゴムダンパー５を介して、合成樹脂製のキャップ６がボス部２ｂに被着されている。
【００２１】
ボス部２ｂに被嵌される第二のゴムダンパー５は、図６の（ａ），（ｂ）に示すように、両端に開口５ａを有し、中間に周溝５ｂを形成した中空グロメット形状のゴムダンパーであって、例えばブチルゴム、シリコンゴムなどで造られている。上記の「中空」グロメット形状とは、グロメット形状（ハトメ形状）のゴムダンパー５そのものが中空体であって、図６の（ｂ）に示すように表皮層５ｃがグロメット形状とされ、表皮層５の内側が空洞であることを意味している。この第二のゴムダンパー５は、上記のような中空グロメット形状のダンパーであるため、中実グロメット形状の第一のゴムダンパー３よりも柔軟で、より高い減衰性能を有しており、この第二のゴムダンパー５によってトラバースシャーシ２の前部に生じる振動が減衰されるようになっている。
【００２２】
この第二のゴムダンパー５を介してトラバースシャーシ２のボス部２ｂに被着される合成樹脂製のキャップ６は、図２，図４に示すように、キャップ後端の開口縁にフランジ６ａが形成されたものであり、先端面６ｂには小孔６ｃが形成されている。そして、このキャップ６のフランジ６ａは、トラバースシャーシ２の前端に形成されたフランジ当接部２ｃに当接されており、それによってトラバースシャーシ２に対するキャップ６の傾動が阻止されるようになっている。
【００２３】
このキャップ６は、ローダーシャーシ１の前縁部１ｂに左右スライド可能に取付けられたカムスライダー７のカム溝７ａに挿入されており、カムスライダー７が図１においてそのラックギヤ７ｂと噛合する駆動ピニオンギア８ａにより左方向にスライドすると、キャップ６がカム溝７ａ内を移動しながら下降するため、トラバースシャーシ２も下方に回動しながら下降し、逆に、カムスライダー７が右方向にスライドすると、キャップ６がカム溝７ａ内を移動しながら上昇するため、トラバースシャーシ２も上方に回動しながら上昇するようになっている。このようにトラバースシャーシ２が上昇して水平になると、図４に示すように、キャップ６の先端面６ｂはローダーシャーシ１の前縁部１ｂの内壁面１ｃに当接されるようになっている。
【００２４】
図１に示すように、トラバースシャーシ２には、光ピックアップ９やターンテーブル１０などが搭載されており、このトラバースシャーシ２の上側には、光ディスクを搬送するディスクトレイ（不図示）が配置されて、前進後退可能にローダーシャーシ１の内側に取付けられている。
【００２５】
上記の光ピックアップ９は、主軸１１ａと副軸１１ｂに沿って、トラッキング方向、即ち、ターンテーブル１０に対して接近・離反する方向に移動するようになっており、接近する方向に移動するときに、この光ピックアップ９からレーザービームが光ディスクに照射されるようになっている。
【００２６】
また、ターンテーブル１０は、トラバースシャーシ２に搭載されたスピンドルモータ１２の出力軸に固定されており、トラバースシャーシ２が前記のように上昇したときに、このターンテーブル１０とその真上のクランパー１３との間に光ディスクの中央開口縁を挟んで光ディスクを回転させるようになっている。このクランパー１３は、ディスクトレイを跨ぐようにローダーシャーシ１の上方に架設されたブリッジ部１ｄの中央のクランパー保持部１ｅに回転自在に保持されている。
【００２７】
上記構成の光ディスク装置は、次のように動作して記録・再生が行われる。まず、光ディスクをディスクトレイに載置して、ローダーシャーシ１の内側に挿入し、光ディスクをターンテーブル１０とクランパー１３の間に位置させる。すると、カムスライダー７が前記のように右側へスライドして、トラバースシャーシ２が上向きに回動（上昇）し、ターンテーブル１０とクランパー１３とで光ディスクが挟持されて回転する。光ディスクが回転すると、光ピックアップ９が主軸１１ａと副軸１１ｂに沿ってターンテーブル１０の方へ移動しながら、光ピックアップ９の対物レンズを通してレーザービームが光ディスクに照射され、その反射ビームが光ピックアップ９の光検出器で検出されて、記録・再生が行われる。そして、記録・再生が終わると、カムスライダーが逆方向（左向き）にスライドしてトラバースシャーシ２が下向きに回動（下降）し、光ディスクがディスクトレイに載置されて取り出される。
【００２８】
この光ディスク装置は、上述したように、第一のゴムダンパー３として中心孔３ａを有する中実グロメット形状のゴムダンパー、第二のゴムダンパー５として両端に開口５ａを有する中空グロメット形状のゴムダンパーを組み合わせて使用しており、第一の中実グロメット形状のゴムダンパー３の方が第二の中空グロメット形状のゴムダンパー５よりも硬いので、この第一の中実グロメット形状のゴムダンパー３によってトラバースシャーシ２の後端部の取付箇所をしっかり支持することができる。もっとも、第一の中実グロメット形状のゴムダンパー３は、第二の中空グロメット形状のゴムダンパー５に比べると減衰性能は低いが、トラバースシャーシ２の後部に生じる振動はそれほど大きくないため、第一のゴムダンパー３で充分に振動を減衰することができる。一方、トラバースシャーシ２の前端のボス部２ｂとキャップ６との間に介在された第二の中空グロメット形状のゴムダンパー５は、第一のゴムダンパー３よりも柔らかくて減衰性能の高いものであるため、トラバースシャーシ２の前部に生じる大きい振動を充分減衰することができる。この光ディスク装置は、上記のように、トラバースシャーシ２の後部に生じる小さな振動を、減衰性能がそれほど高くない第一の中実グロメット形状のゴムダンパー３で減衰し、トラバースシャーシ２の前部に生じる大きい振動を、減衰性能が高い第二の中実グロメット形状のゴムダンパー５で減衰するようにしたため、全体的にバランスのとれた防振性を発揮することができる。
【００２９】
しかも、この光ディスク装置は、キャップ６のフランジ６ａを、トラバースシャーシ２の前端に形成されたフランジ当接部２ｃに当接させて、トラバースシャーシ２に対するキャップ６の傾動を阻止できるようにすると共に、トラバースシャーシ２が水平になったときにキャップ６の先端面６ｂをローダーシャーシ１の前縁部１ｂの内壁面１ｃに当接させて，キャップ６の傾動をより確実に阻止できるようにしたため、何らかの影響でトラバースシャーシ２の姿勢に傾きが生じようとした場合でも、上記のように傾動が阻止されたキャップ６がカムスライダー７のカム溝７ａに係合してトラバースシャーシ２の傾きを規制し、トラバースシャーシ２の姿勢を水平に安定させることができる。
【００３０】
このように、本考案の光ディスクは、振動特性が向上して全体的にバランスのとれた防振性を発揮することができ、トラバースシャーシ２の姿勢を水平に安定させることもできるので、２倍速ないし４倍速の記録・再生であっても、支障を来すことなく行うことができる。
【００３１】
以上、第一のゴムダンパーとして中実グロメット形状のゴムダンパー、第二のゴムダンパーとして中空のグロメット形状のゴムダンパーを組合わせて用いた実施形態を挙げて本考案の光ディスク装置を説明したが、本考案はこのようなゴムダンパーの組合わせに限定されるものではなく、その形状及び／又は材質が異なるゴムダンパーの全ての組合わせを採用できるものである。
【図面の簡単な説明】
【００３２】
【図１】本考案の一実施形態に係る光ディスク装置の平面図である。
【図２】同光ディスク装置の要部分解斜視図である。
【図３】同光ディスク装置におけるトラバースシャーシ後端部の取付部分の断面図である。
【図４】同光ディスク装置におけるトラバースシャーシ前端のキャップを被着した部分の断面図である。
【図５】（ａ）は同光ディスク装置に使用される中実グロメット形状の第一のゴムダンパーの斜視図、（ｂ）は同ゴムダンパーの断面図である。
【図６】（ａ）は同光ディスク装置に使用される中空グロメット形状の第二のゴムダンパーの斜視図、（ｂ）は同ゴムダンパーの断面図である。
【符号の説明】
【００３３】
１    ローダーシャーシ
１ｂ  ローダーシャーシの前縁部
１ｃ  ローダーシャーシの前縁部の内壁面
２    トラバースシャーシ
２ｂ  トラバースシャーシのボス部
２ｃ  フランジ当接部
３    第一の中実グロメット形状のゴムダンパー
３ａ  中心孔
５    第二の中空グロメット形状のゴムダンパー
５ａ  開口
６    キャップ
６ａ  キャップのフランジ
６ｂ  キャップの先端面
７    カムスライダー
７ａ  カム溝
９    光ピックアップ
１０  ターンテーブル
【図１】
0003128619.tif 000003
【図２】
0003128619.tif 000004
【図３】
0003128619.tif 000005
【図４】
0003128619.tif 000006
【図５】
0003128619.tif 000007
【図６】
0003128619.tif 000008